(57)【要約】【課題】利用者が希望する希望図書に関連する関連図書の図書情報を幅広く効率的に利用者に対して提供することを課題とする。【解決手段】貸出図書受付部１１１が受け付けた利用者の希望図書が、図書館に蔵書中でなく、かつ、購入手配中でない場合には、関連ページ抽出部１１３が希望図書の書評ページを抽出し、関連図書抽出部１１２が書評ページから関連図書の情報を抽出するとともに、そのうち蔵書中であり、かつ、当該利用者が過去に貸し出されていないものを最終的な関連図書として利用者に提供する。【選択図】      図１
2004334482.tif 000002
【特許請求の範囲】
【請求項１】
利用者の希望図書に関連する関連図書に係る情報を提供する図書情報提供方法であって、
前記利用者が貸し出しを希望する希望図書を受け付ける希望図書受付工程と、前記希望図書受付工程により受け付けた希望図書を扱ったインターネット上の希望図書ページを特定するページ特定工程と、
前記ページ特定工程により特定されたページから、前記希望図書に関連する関連図書に係る情報を抽出する関連図書抽出工程とを含んだことを特徴とする図書情報提供方法。
【請求項２】
前記関連図書抽出工程は、抽出した関連図書の蔵書状況あるいは前記利用者に対する貸出状況に基づいて該関連図書の絞り込みをおこなうことを特徴とする請求項１に記載の図書情報提供方法。
【請求項３】
前記ページ特定工程は、前記希望図書の蔵書状況を検索し、蔵書も蔵書予定もない場合に、前記希望図書ページをインターネット上で検索することを特徴とする請求項１または２に記載の図書情報提供方法。
【請求項４】
前記希望図書ページは該希望図書に関する書評をおこなった書評ページであり、前記関連図書抽出工程は、前記書評ページ内に紹介された他の図書と、書評者紹介欄に紹介された書評者により執筆された図書とを識別可能に関連図書として抽出することを特徴とする請求項１、２または３に記載の図書情報提供方法。
【請求項５】
利用者の希望図書に関連する関連図書に係る情報を提供する図書情報提供装置であって、
前記利用者が貸し出しを希望する希望図書を受け付ける希望図書受付手段と、前記希望図書受付手段により受け付けた希望図書を扱ったインターネット上の希望図書ページを特定するページ特定手段と、
前記ページ特定手段により特定されたページから、前記希望図書に関連する関連図書に係る情報を抽出する関連図書抽出手段とを備えたことを特徴とする図書情報提供装置。
【発明の詳細な説明】
【０００１】
【発明の属する技術分野】
本発明は、利用者の希望図書に関連する関連図書に係る情報を提供する図書情報提供方法および図書情報提供装置に関し、特に、利用者が希望する希望図書に関連する関連図書の図書情報を幅広く効率的に利用者に対して提供することができる図書情報提供方法および図書情報提供装置に関する。
【０００２】
【従来の技術】
従来、利用者に対して図書（書籍）の閲覧や貸出をおこなう図書館には、利用者が閲覧や貸出を希望する図書（以下、「希望図書」と言う）に関する情報を当該利用者に対して提供する図書情報提供システムが導入されることが多い。かかる図書情報提供システムでは、蔵書中の図書や購入手配中の図書をあらかじめ図書情報提供サーバに登録しておき、利用者が端末装置から希望図書の検索入力をおこなったならば、この希望図書の図書情報を図書情報提供サーバから検索して、その検索結果を端末装置の表示画面に表示することになる。このように、かかる図書情報提供システムは、利用者が希望図書の図書情報を得るための有用な手段となっている。
【０００３】
ところで、従来の一般的な図書情報提供システムでは、利用者が希望図書の図書情報のみを利用者に知らせる構成を採用しているので、たとえば利用者が希望図書に近い関連図書の図書情報を知りたい場合であっても、この関連図書の図書情報を容易に取得することができない。
【０００４】
このため、かかる関連図書の図書情報を効率良く取得するための従来技術が知られている。たとえば、特許文献１には、事前に検索された文書データに参考文献が記載されている場合に、その参考文献を図書館内での検索条件に設定する技術が開示されている。また、特許文献２には、数冊の書籍情報を一元管理し、端末装置での表示中の書籍情報に参考文献があれば、簡単な操作でその参考文献を表示する技術が開示されている。
【０００５】
【特許文献１】
特開平０８−２８７０８７号公報
【特許文献２】
特開平０７−２３０４６７号公報
【０００６】
【発明が解決しようとする課題】
しかしながら、これらの特許文献１および２を用いたとしても、利用者は、図書館に蔵書されているか購入手配中の図書の図書情報しか取得することができないので、結果的に見て希望図書に近い関連図書の図書情報を幅広く得ることができないという問題がある。
【０００７】
この点を具体的に説明すると、特許文献１のものは、あくまでも検索条件に参考文献を追加するだけなので、この参考文献が図書館に所在せず購入手配もされていない場合には、利用者には「蔵書なし」、「未手配」が通知されるだけである。言い換えると、この特許文献１のものは、参考文献が蔵書中または購入手配中である場合にのみ意味がある技術であり、たとえ参考文献が希望図書に近いものであっても、蔵書または手配されていなければ、この参考文献の図書情報を取得することはできない。
【０００８】
また、特許文献２のものも、参考文献が一元管理されていることが大前提となるので、やはり参考文献が蔵書中または購入手配中であるか、あらかじめ別データとして一元管理されていない限り、参考文献の図書情報を取得することはできない。
【０００９】
その結果、利用者は、自ら希望図書に関連する関連図書を図書目録やインターネット上の検索サイトなどを参照して調べる必要が生ずるが、かかる検索をおこなっていたのでは、利用者の図書検索に係る負担が大きくなってしまう。
【００１０】
なお、図書館が図書相互の関連を管理するデータベースを整備して、利用者の図書情報の検索を効率化することも考えられるが、かかるデータベースを構築するには多大の費用が必要になってしまうため、予算割り当てに厳しい制限を受ける図書館がかかるデータベースを整備するには無理がある。特に、新刊本は日々発行されるため、新たな新刊本が発生する都度データベースを更新することとしたのでは、データベース管理に多大の人的労力を要してしまうので、現実的ではない。
【００１１】
この発明は、上述した従来技術による問題点を解決するためになされたものであり、利用者が希望する希望図書に関連する関連図書の図書情報を幅広く効率的に利用者に対して提供することができる図書情報提供方法および図書情報提供装置を提供することを目的とする。
【００１２】
【課題を解決するための手段】
上記目的を達成するため、本発明は、利用者の希望図書に関連する関連図書に係る情報を提供する図書情報提供方法であって、前記利用者が貸し出しを希望する希望図書を受け付ける希望図書受付工程と、前記希望図書受付工程により受け付けた希望図書を扱ったインターネット上の希望図書ページを特定するページ特定工程と、前記ページ特定工程により特定されたページから、前記希望図書に関連する関連図書に係る情報を抽出する関連図書抽出工程とを含んだことを特徴とする。
【００１３】
この発明によれば、利用者が貸し出しを希望する希望図書を受け付けたならば、受け付けた希望図書を扱ったインターネット上の希望図書ページを特定し、特定したページから希望図書に関連する関連図書に係る情報を抽出することとしたので、利用者が希望する希望図書に関連する関連図書の図書情報を幅広く効率的に利用者に対して提供することができる。
【００１４】
また、本発明は、上記発明において、前記関連図書抽出工程は、抽出した関連図書の蔵書状況あるいは前記利用者に対する貸出状況に基づいて該関連図書の絞り込みをおこなうことを特徴とする。
【００１５】
この発明によれば、抽出した関連図書の蔵書状況あるいは利用者に対する貸出状況に基づいて該関連図書の絞り込みをおこなうこととしたので、利用者が入手可能であり、かつ、過去に閲覧していない価値の高い図書を関連図書として入手することができる。
【００１６】
また、本発明は、上記発明において、前記ページ特定工程は、前記希望図書の蔵書状況を検索し、蔵書も蔵書予定もない場合に、前記希望図書ページをインターネット上で検索することを特徴とする。
【００１７】
この発明によれば、希望図書の蔵書状況を検索し、蔵書も蔵書予定もない場合に、希望図書ページをインターネット上で検索することとしたので、図書館内に希望図書がある場合に無駄な検索をなくして効率的な処理をおこなうことができる。
【００１８】
また、本発明は、上記発明において、前記希望図書ページは該希望図書に関する書評をおこなった書評ページであり、前記関連図書抽出工程は、前記書評ページ内に紹介された他の図書と、書評者紹介欄に紹介された書評者により執筆された図書とを識別可能に関連図書として抽出することを特徴とする。
【００１９】
この発明によれば、希望図書ページは該希望図書に関する書評をおこなった書評ページであり、書評ページ内に紹介された他の図書と、書評者紹介欄に紹介された書評者により執筆された図書とを識別可能に関連図書として抽出することとしたので、書評者自身がその内容を熟知する自らの図書と希望図書との結びつきを重視しつつ効率良く関連図書を抽出することができる。
【００２０】
また、本発明は、上記発明において、利用者の希望図書に関連する関連図書に係る情報を提供する図書情報提供装置であって、前記利用者が貸し出しを希望する希望図書を受け付ける希望図書受付手段と、前記希望図書受付手段により受け付けた希望図書を扱ったインターネット上の希望図書ページを特定するページ特定手段と、前記ページ特定手段により特定されたページから、前記希望図書に関連する関連図書に係る情報を抽出する関連図書抽出手段とを備えたことを特徴とする。
【００２１】
この発明によれば、利用者が貸し出しを希望する希望図書を受け付けたならば、受け付けた希望図書を扱ったインターネット上の希望図書ページを特定し、特定したページから希望図書に関連する関連図書に係る情報を抽出することとしたので、利用者が希望する希望図書に関連する関連図書の図書情報を幅広く効率的に利用者に対して提供することができる。
【００２２】
【発明の実施の形態】
以下、添付図面を参照して、本発明に係る図書情報提供方法および図書情報提供装置の好適な実施の形態を詳細に説明する。なお、以下に示す実施の形態１では、図書についての書評をおこなう書評サイトと呼ばれるインターネット上のＷＷＷサーバから希望図書に関連する関連図書の図書情報を取得して提供する場合について説明し、実施の形態２では、図書についての説明をおこなう図書サイトと呼ばれるインターネット上のＷＷＷサーバから希望図書に関連する関連図書の図書情報を取得して提供する場合について説明することとする。
【００２３】
（実施の形態１）
まず、本実施の形態１に係る図書情報提供システムのシステム構成について説明する。図１は、本実施の形態１に係る図書情報提供システムのシステム構成を示す機能ブロック図である。
【００２４】
同図に示す図書情報提供システムは、利用者が端末装置７００を介して利用図書を入力した際に、この希望図書が図書館に蔵書されているか購入手配中であるか否かを調べ、そのいずれでもない場合には、いわゆる書評サイト３００から関連図書を検索して、検索結果を端末装置７００に表示するシステムである。具体的には、本実施の形態１では、書評サイト３００の書評ページ内に紹介される他の図書を関連図書として検索することになる。この際、かかる書評ページを記述する書評者は、自身が過去に執筆した図書のいずれかを紹介することがあり、この図書は希望図書と密接に関連することが多いため、ここでは書評者が執筆し書評ページで紹介した図書についても関連図書として検索することとする。
【００２５】
同図に示すように、この図書情報提供システムは、図書館に勤務する司書が利用する端末装置４００と、図書館内に配設された端末装置６００と、利用者宅などの図書館外に配設された端末装置７００と、書評サイト３００とが、それぞれ図書館に配設された図書館管理装置１００に接続されたシステム構成となる。具体的には、図書館内に配設された端末装置４００および端末装置６００は、ＬＡＮなどの通信回線を介して図書館管理装置１００に接続され、図書館外部に配設された端末装置７００および書評サイト３００は、インターネット２００を介して図書館管理装置１００と接続されている。
【００２６】
ここで、端末装置４００、６００および７００は、ウエブブラウザを搭載したパソコンであり、書評サイト３００は、書評者が各図書に関する関する書評を記述したページを提供するＨＴＴＰサーバであり、インターネット２００上に分散して配置されている。
【００２７】
図書館管理装置１００は、本発明に係る図書情報提供装置の主体をなす装置であり、図書館に蔵書中および購入手配中の各図書の図書情報を管理するとともに、利用者の希望図書が図書館に所在しない場合には、書評サイト３００から関連図書を検索して利用者に提示する処理をおこなう点にその特徴がある。
【００２８】
図１に示すように、この図書館管理装置１００は、貸出予約管理部１１０、貸出返却管理部１２０および手配管理部１３０を有する。貸出予約管理部１１０は、希望図書の入力を受け付けた際に、この希望図書が蔵書中であるか否か、購入手配中であるか否かを調べ、蔵書中または購入手配中である場合には、希望図書の貸出予約処理をおこなう処理部である。
【００２９】
また、希望図書が蔵書中および購入手配中でない場合であっても、当該希望図書についての予約を受け付け、この予約が所定数に達した時点で購入手配をおこなう。さらに、希望図書が蔵書中および購入手配中でない場合には、お薦め図書（関連図書）をインターネット２００を介して書評サイト３００から検索するとともに、利用者の貸し出し情報履歴を踏まえて紹介する処理をおこなう。
【００３０】
具体的には、この貸出予約管理部１１０は、貸出図書受付部１１１、関連図書抽出部１１２および関連ページ抽出部１１３を有する。貸出図書受付部１１１は、利用者が貸出を希望する希望図書を受け付ける処理部である。
【００３１】
関連図書抽出部１１２は、インターネット２００を介して複数の書評サイト３００の中から希望図書に関連する書評ページを特定するとともに、当該書評ページに記載された書評記述文の中から希望図書の書籍名に関連する関連図書を抽出して利用者に関連図書情報として提示する処理部である。
【００３２】
なお、本実施の形態１では、書評サイト３００の書評ページから検索した関連図書のうち、蔵書中または購入手配中であり、かつ、利用者に対して過去に貸し出していない図書を利用者に提示することとしている。また、これらの関連図書を利用者に提示する際に、書評者自身が自ら執筆した図書については、その旨を併せて提示することとしている。その理由は、書評者自ら執筆した図書は、直接的には利用者希望図書のテーマと関連していない場合があるが、書評を公開できるほどに該テーマに対して独自の視点を持ち、同様の視点で図書を執筆している可能性があり、該利用者の参考になると思われるからである。
【００３３】
関連ページ抽出部１１３は、希望図書の書籍名が紹介された書評サイト３００を特定するとともに、該書評サイト３００の中から利用者が希望する希望図書について書評した書評ページを特定して抽出する処理部である。
【００３４】
貸出返却管理部１２０は、貸し出した図書の返却に係る情報並びに貸出履歴情報を管理する管理部であり、貸出図書受付部１１１により受け付けた希望図書の書籍名に基づいて図書館内の蔵書を検索する蔵書検索部１２１を有する。
【００３５】
手配管理部１３０は、購入手配中の図書に係る情報（書籍名、納入予定日、納入日情報）を管理する管理部であり、これらの情報を貸出予約管理部１１０に提供する。
【００３６】
次に、図１に示した図書館管理装置１００の処理手順について説明する。図２は、図１に示した図書館管理装置１００の処理手順を示すフローチャートである。同図に示すように、この図書館管理装置１００は、利用者が貸し出しを希望する希望図書の要求を受け付けたならば（ステップＳ２０１）、この希望図書の貸出可否を判定する（ステップＳ２０２）。具体的には、希望図書が蔵書中であるか否か、未蔵書であるが現在購入手配中であるか否かを調べ、蔵書中である場合または購入手配中である場合には貸出可能と判定する。
【００３７】
そして、希望図書が貸出可能である場合には、そのまま図示しない貸出処理や予約処理に移行する。これに対して、希望図書が貸出可能でない場合には、登録された書評サイト３００から関連図書を抽出する関連ページ抽出処理をおこなう（ステップＳ２０３）。具体的には、書評サイト３００から希望図書の書評が存在する書評ページを検索し、この書評ページ内に紹介される他の図書を関連図書として抽出することになる。なお、書評ページ内に紹介された図書のうち、書評者自身が執筆した図書は、希望図書を書評する視点や論点などと執筆した図書内容の方向性が同一である可能性が高いと考えられるため、他の図書と区別して抽出する。
【００３８】
その後、この関連図書の抽出処理に移行する（ステップＳ２０４）。具体的には、かかる関連図書の蔵書の有無を判定するとともに、当該関連図書を過去に本利用者に貸し出したことがあるか否かを判定し、蔵書されており、かつ、過去に当該利用者に貸し出していない場合には、この関連図書と検索ページを端末装置上に表示する処理をおこなう。
【００３９】
次に、図２のステップＳ２０１に示した希望図書を受け付ける場合に用いる受付画面について説明する。図３は、図２のステップＳ２０１に示した希望図書を受け付ける場合に用いる受付画面の一例を示す図である。なお、同図に示すものは、利用者が図書館に出向いた際に利用することができる端末装置６００に表示される受付画面とする。
【００４０】
利用者が図書館に出向いて端末装置６００上で所定の操作をおこなうと、図３に示した貸出予約図書設定画面（受付画面）６５０が表示される。この貸出予約図書設定画面６５０には、同図に示すように、利用者の識別ＩＤを入力する入力枠６５１、氏名を入力する入力枠６５２、希望図書名を入力する入力枠６５３および検索ボタンの入力枠６５４が設けられている。
【００４１】
ここで、利用者が、識別ＩＤ「ＵＳＲ１００」、氏名「関畑宏行」、希望図書名「日本の歴史文化」をそれぞれ入力して検索ボタンの入力枠６５４を指示すると、これらの情報が図書館管理装置１００に送信されることになる。なお、この時点では、希望図書の状況やお勧め図書（関連図書）は不明であるので、貸出予約図書設定画面６５０のこれらの箇所には情報は表示されず空欄となる。
【００４２】
そして、図書館管理装置１００が、この希望図書が図書館に蔵書中または購入手配中であるか否かを調べ、希望図書の状況を貸出予約図書設定画面６５０上に表示するわけであるが、希望図書が蔵書中でなく、かつ、購入手配中でもない場合には、希望図書に関する書評が記載された書評サイト３００を特定する。
【００４３】
図４は、図１に示した書評サイト３００に存在する書評ページの一例を示す図である。同図に示すように、この書評ページには、利用者が希望図書として入力した「日本の歴史文化」に応答して検索された「日本の歴史文化（平安時代）、山本△夫、ＦＴＨ出版」ついて、富士太郎（あああ大学教授）が書評した記述が含まれている。
【００４４】
つまり、かかる「日本の歴史文化」の図書が図書館に蔵書されておらず、かつ、購入手配中でもない場合に、この書評サイト３００が特定されるのである。
【００４５】
ここで、この書評内容を見ると、「紫式部」、「聖徳太子」、「中国の歴史１」という図書名が書評の記述中に含まれ、また「小野小町」が評者の著書として含まれている。このため、これらの図書名「紫式部」、「聖徳太子」、「中国の歴史１」、「小野小町」が抽出される。ただし、「小野小町」が評者の著書であるため、他の図書とは区別する。
【００４６】
そして、利用者が希望図書を検索した時点での関連図書のステータスとして、「紫式部」は図書館に「蔵書中」であり、利用者である関畑宏行によるユーザ貸出履歴が「無く」、現状が他の利用者に「貸出中」であるものとする。また、「聖徳太子」は図書館に「蔵書無し」であり、「中国の歴史１」は図書館に「蔵書中」でありユーザ貸出履歴が「有り」であるとする。さらに、「小野小町」は図書館に「蔵書中」でありユーザ貸出履歴が「無し」であり、現状として他の利用者に貸し出しておらず「図書館に有り」であるとすると、図３に示した貸出予約図書設定画面（受付画面）６５０の表示内容は、図５に示すように更新されることになる。
【００４７】
図５は、検索結果を含めた貸出予約図書設定画面６５０の表示内容の一例を示す図である。同図に示すように、希望図書である「日本の歴史文化」は図書館に蔵書が無く、かつ、購入未手配であるため、その旨が希望図書の状況の表示欄６５５に表示される。ここで、予約の入力枠６５６が指示されると、この「日本の歴史文化」の図書への手配申込みがなされることになる。なお、手配申込みが所定数に達した時点で、該当する図書が実際に購入手配される。
【００４８】
また、お勧め図書の欄６５７には、「紫式部」と「小野小町」の２冊の関連図書について、書籍名、図書ＩＤ、状態、予約数および書評者著名の有無が表示される。この点を具体的に説明すると、もともと図４に示した書評ページには、「紫式部」、「聖徳太子」、「中国の歴史１」および「小野小町」という４冊の図書名が含まれていたが、「聖徳太子」については図書館に蔵書されていないために貸し出すことができず、「中国の歴史１」については図書館に蔵書されているものの利用者である関畑宏行（ＵＳＲ１００）による貸出履歴があるため改めて貸出対象とする必要はない。このため、「紫式部」と「小野小町」の２冊を関連図書とすることになり、図５に示すように、その図書ＩＤなどを表示することになる。
【００４９】
なお、お勧め図書の欄６５７に書評者著名の欄を設けた理由は、書評者自身が執筆した図書の内容は書評者自身が熟知しており、また一般的に見て希望図書を書評する視点や論点、思考方法などがその執筆図書と一致している可能性が高いと考えられるため、他の関連図書と区別した方が利用者の図書選択が容易になると思われるからである。
【００５０】
ここで、利用者が、予約の入力枠６５８を指示されたならば、該当するお勧め図書についての予約処理がおこなわれることになる。なお、図５に示すものでは、書評者自身が執筆した「小野小町」が予約された場合を示している。
【００５１】
次に、図１に示した図書館管理装置１００の処理手順について具体的に説明する。図６は、図書館管理装置１００の処理手順を示すフローチャートである。なお、ここでは説明の便宜上、利用者が端末装置６００を操作する場合を示すこととする。
【００５２】
図６に示すように、この図書館管理装置１００は、利用者の端末装置６００に対して貸出図書予約画面を送信し（ステップＳ６０１）、利用者名および希望図書名などの入力を促す。そして、利用者の入力に応答して利用者名および希望図書名などが含まれた予約希望図書情報を受信すると（ステップＳ６０２）、蔵書テーブル１５４の検索をおこなう（ステップＳ６０３）。
【００５３】
そして、希望図書が図書館に蔵書されている場合には（ステップＳ６０４肯定）、通常の予約処理をおこなう（ステップＳ６０５）。かかる予約処理については本発明の特徴部分ではないのでの詳細な説明を省略するが、たとえば貸出可能である旨やその貸出予定時期などを端末装置６００の表示画面上に表示することになる。
【００５４】
これに対して、希望図書が図書館に蔵書されていない場合には（ステップＳ６０４否定）、手配テーブル１５６を検索して希望図書が購入手配中であるか否かを確認し（ステップＳ６０６）、希望図書が手配中である場合には（ステップＳ６０７肯定）、蔵書中と同様に通常の予約処理をおこなう（ステップＳ６０５）。
【００５５】
そして、希望図書が手配中でない場合には（ステップＳ６０７否定）、選択支援テーブル１５２に希望図書を記録するとともに（ステップＳ６０８）、後述する書評サイト３００の検索をおこなって（ステップＳ６０９）、関連図書の抽出を試みる。この際、一つの書籍が複数の書評サイト３００で書評されている場合もあるので、希望図書に関する書評が記述されているすべての書評サイト３００を検索することが望ましい。
【００５６】
その結果、一つも関連図書が抽出できなかった場合には（ステップＳ６１０否定）、関連図書無しを示す結果画面を端末装置６００に送信し（ステップＳ６１７）、一または複数の関連図書を抽出できた場合には（ステップＳ６１０肯定）、蔵書テーブル１５４を用いて各関連図書が図書館に蔵書されているか否かを調べる（ステップＳ６１１）。
【００５７】
そして、すべての関連図書が図書館に蔵書されていない場合には（ステップＳ６１２否定）、関連図書がなかった場合と同様に関連図書無しを示す結果画面を端末装置６００に送信し（ステップＳ６１７）、一または複数の関連図書が図書館に蔵書されている場合には（ステップＳ６１２肯定）、蔵書されている全ての関連図書について貸出履歴テーブル１５５を検索し（ステップＳ６１３）、過去に同じ利用者に関連図書を貸し出していたかどうかを調べる。
【００５８】
そして、同じ利用者に貸出履歴のない本が存在せず、関連図書の中に利用者が過去に借りた図書しかない場合には（ステップＳ６１４否定）、関連図書がなかった場合と同様に関連図書無しを示す結果画面を端末装置６００に送信する（ステップＳ６１７）。これに対して、利用者に対する貸出履歴がない図書が関連図書に含まれている場合には（ステップＳ６１４肯定）、関連図書が有る旨を示す結果画面を端末装置６００に送信し（ステップＳ６１５）、そのうち利用者が選択した図書を受信して通常の予約処理をおこなう（ステップＳ６１６）。
【００５９】
上記一連の処理をおこなうことにより、利用者の希望図書が蔵書されておらず、かつ、購入手配中でない場合に、この希望図書に関連する関連図書を書評サイト３００から検索し、検索された関連図書のうち図書館に蔵書されており、かつ、同じ利用者に過去に貸し出していないものを利用者に提示することができる。
【００６０】
次に、図６のステップＳ６０９に示した書評サイト３００から関連図書を検索する検索手順について説明する。図７は、図６のステップＳ６０９に示した書評サイト３００から関連図書を検索する検索手順を示すフローチャートである。ここでは、図４に示したように書評ページが書評本文欄と書評者紹介欄とからなり、書評フラグは、書評者紹介欄を文字識別したか否かを示すものとする。すなわち、書評フラグ＝０は、書評者紹介欄が未だ文字識別されていない（現在書評本文を文字識別中）状態を示し、書評フラグ＝１であれば、書評本文の文字識別を終え、現在書評者紹介欄の文字識別をおこなっている状態を示すものとする。
【００６１】
同図に示すように、まず書評者紹介欄を文字識別したか否かを示す書評フラグを０に初期化した後（ステップＳ７０１）、書評ＵＲＬテーブル１５７より図書名を示す区切り記号、書評者開始記号を読み込み（ステップＳ７０２）希望図書名を検索キーワードとして各書評サイト３００を検索し、ヒットした書評ページを読み込む（ステップＳ７０３）。
【００６２】
そして、書評フラグが１であるか否かを調べ（ステップＳ７０４）、書評フラグが１ではない場合（その時点で書評本文を文字識別している場合）には（ステップＳ７０４否定）、認識した各文字が書評者開始記号であるか否かを調べ（ステップＳ７０５）、書評者開始記号でない場合には（ステップＳ７０５否定）、後述する関連図書抽出処理をおこなう（ステップＳ７０６）。そして、次の文字が存在するか否かを確認し（ステップＳ７０７）、次の文字が存在する場合には（ステップＳ７０７肯定）、次の文字を抽出してステップＳ７０４に移行する。
【００６３】
このようにして、書評本文に含まれる関連図書名を抽出するわけであるが、書評本文の文字識別を終了したならば、引き続き書評者紹介欄の文字識別をおこなうことになる。
【００６４】
具体的には、ステップＳ７０５の処理において、認識文字が書評者開始記号である場合には（ステップＳ７０５肯定）、書評者紹介欄への移行を意味することになるので、書評フラグを１に書き換える（ステップＳ７０９）。これにより、ステップＳ７０４にて書評フラグが１であると判定されるため（ステップＳ７０４肯定）、関連図書抽出処理をおこなった後に（ステップＳ７１０）、この関連図書が書評者自身が執筆した図書であることを明示するためにレコードの書評者フラグをオンにする（ステップＳ７１１）。なお、上記ステップＳ７１０に示した関連図書抽出処理は、ステップＳ７０６に示したものと同じ処理をおこなうことになる。
【００６５】
次に、図７のステップＳ７０６およびＳ７１０に示した関連図書抽出処理の処理手順についてさらに詳細に説明する。図８は、図７のステップＳ７０６およびＳ７１０に示した関連図書抽出処理の処理手順を示すフローチャートである。なお、以下に示す本名フラグとは、図書名を示す開始区切り記号を発見したか否かを示すフラグであり、具体的には、本名フラグ＝０の場合には新たな開始区切り記号を発見していない状態を示し、本名フラグ＝１の場合には開始区切り記号を発見して現在区切り記号内の文字（つまり関連図書の図書名を形成する文字）を一時メモリに格納している状態を示すものとする。
【００６６】
同図に示すように、まず本名フラグを０に初期化した後（ステップＳ８０１）、本名フラグが１であるか否かを調べ（ステップＳ８０２）、本名フラグが１でない場合つまり新たな開始区切り記号を発見していない場合には（ステップＳ８０２不定）、認識文字が開始区切り記号であるか否かを確認し（ステップＳ８０３）、開始区切り記号を発見した場合には（ステップＳ８０３肯定）、本名フラグを１に更新する（ステップＳ８０４）。そして、次の文字が存在するかどうかを確認し（ステップＳ８０５）、次の文字が存在する場合には（ステップＳ８０５肯定）、その文字を抽出して（ステップＳ８０６）、ステップＳ８０２に移行する。すなわち、かかるステップＳ８０２〜Ｓ８０６において、開始区切り記号を発見するまで次々に文字を読み飛ばし、開始区切り記号を発見した時点で本名フラグを１に更新しているのである。
【００６７】
そして、開始区切り記号を発見し本名フラグが１になったならば（ステップＳ８０２肯定）、この文字が終了区切りであるか否かを調べ（ステップＳ８０７）、終了区切り記号でない場合には（ステップＳ８０７否定）、一時メモリに該当する文字の追加書き込みをおこなう（ステップＳ８０８）。
【００６８】
そして、文字が終了区切り記号である場合には（ステップＳ８０７肯定）、本名フラグを０にリセットし（ステップＳ８０９）、一時メモリ内のデータがすでに選択支援テーブル１５２に書き込まれたデータのいずれかと一致するか否かを調べる（ステップＳ８１０）。同じ図書名を重複して取り出すケースを防ぐためである。
【００６９】
そして、一時メモリ内のデータがすでに書き込まれたデータのいずれとも一致しない場合には（ステップＳ８１０否定）、選択支援テーブル１５２に新規レコードを作成し（ステップＳ８１１）、作成したレコードに一時メモリ内のデータを書き込み（ステップＳ８１２）、一時メモリをリセットする（ステップＳ８１３）。なお、一時メモリ内のデータがすでに選択支援テーブル１５２に書き込まれたデータのいずれかと一致する場合には（ステップＳ８１０肯定）、そのままステップＳ８１３に移行して、一時メモリをリセットする（ステップＳ８１３）。
【００７０】
次に、図１に示した予約テーブル１５１、選択支援テーブル１５２、書誌テーブル１５３、蔵書テーブル１５４、貸出履歴テーブル１５５、手配テーブル１５６および書評ＵＲＬテーブル１５７の一例について説明する。図９は、ＵＳＲ１００による予約以前の予約テーブル１５１の一例を示す図であり、図１０は、書誌テーブル１５３の一例を示す図であり、図１１は、蔵書テーブル１５４の一例を示す図である。また、図１２は、手配テーブル１５６の一例を示す図であり、図１３は、書評ＵＲＬテーブル１５７の一例を示す図である。さらに、図１４は、選択支援テーブル１５２の一例を示す図であり、図１５は、貸出履歴テーブル１５５の一例を示す図であり、図１６は、ＵＳＲ１００による予約後の予約テーブル１５１の一例を示す図である。
【００７１】
図９に示した予約テーブル１５１は、各図書に関する予約情報が格納されたテーブルであり、具体的には、予約ＮＯ、利用者ＩＤ、図書ＩＤ、書名および予約日が格納されている。同図に示すものは、図３に示した貸出予約図書設定画面（予約画面）６５０でのＵＳＲ１００（関畑宏行）による予約以前のものであり、図書ＩＤ「ＺＳ９００」の図書「世界の歴史」と、図書ＩＤ「ＺＳ１００」の図書「紫式部」が予約された状況を示している。図５に示した貸出予約図書設定画面６５０上で利用者が予約の入力枠６５６または６５８を指示すると、この予約テーブル１５１の内容が更新される。
【００７２】
図１０に示した書誌テーブル１５３は、各図書の書誌情報を格納したテーブルであり、具体的には、ＩＳＢＮ（Ｉｎｔｅｒｎａｔｉｏｎａｌ  Ｓｔａｎｄａｒｄ  Ｂｏｏｋ  Ｎｕｍｂｅｒ）、図書ＩＤ、書名、日本目録分類（ＮＤＣ）、著者、シリーズおよび一般件名（キーワード）が対応づけて格納されている。同図に示すものは、「小野小町」、「中国の歴史１」、「紫式部」、「枕草子の思想」、「アジアの歴史」および「世界の歴史」に関する書誌情報を有する場合を示している。なお、書評テーブル１５３には、既に図書館に蔵書中の図書および蔵書はされていないが既に手配済みの図書について書誌情報が管理されている。
【００７３】
図１１に示した蔵書テーブル１５４は、図書館に蔵書中の図書に係る情報を格納したテーブルであり、具体的には、蔵書ＮＯ、書名、状態、利用者ＩＤ、貸出日、返却予定日および予約数が対応付けて格納されている。同図に示すものは、「紫式部」、「小野小町」、「中国の歴史１」および「枕草子の思想」が蔵書中であり、このうち「紫式部」が貸出中である場合を示している。また、「利用可」という状態は、現在どの利用者にもその図書が貸し出されておらず、すぐに借りることができる状態であることを示している。かかる蔵書テーブル１５４は、利用者の希望図書や書評サイト３００で検索した関連図書が、図書館に蔵書されているか否かを確認する際に利用される。
【００７４】
図１２に示した手配テーブル１５６は、図書館に蔵書されていないものの既に購入手配されている図書に係る情報を格納するテーブルであり、具体的には、手配ＮＯ、図書ＩＤ、書名、発注日、納品予定日、納品日、利用可能日および予約数が対応付けて格納されている。ここでは、「アジアの歴史」および「世界の歴史」が購入手配中である場合を示している。かかる手配テーブル１５６は、利用者の希望図書が購入手配中であるか否かを確認する際に利用される。なお、図書が購入手配されるためには、予約テーブル１５１の中で蔵書ＮＯが未確定の図書についての利用者による予約数が所定件数以上（ここでは「５」件以上）になることが必要である。
【００７５】
図１３に示した書評ＵＲＬテーブル１５７は、各書評サイト３００のＵＲＬおよびその書評フォーマットを格納したテーブルであり、具体的には、ＵＲＬ、開始区切り記号、終了区切り記号、検索条件式および書評者開始記号が対応付けて格納されている。すなわち、書評サイト「ｗｗｗ．ａｓａｙｕ．ｂｏｏｋ／」では、『図書名』として表記示され、書評者紹介欄の開始記号を「■」で表示することとしているが、他の書評サイト「ｗｗｗ．ｙｏｍｋ．ｂｏｏｋ／」では、［図書名］として表記され、書評者紹介欄の開始記号を「書評者−」で表示することとしている。また、検索条件式は、書評サイト３００から利用者の希望図書を紹介する特定ページを抽出する際に必要となる。この書評ＵＲＬテーブル１５７を設けた理由は、各書評サイトの表記法の差異による関連図書の取りこぼしを防ぐためである。かかる書評ＵＲＬテーブル１５７は、書評ページから関連図書名を切り出す際に利用される。
【００７６】
図１４に示した選択支援テーブル１５２は、貸出予約図書設定画面（予約画面）６５０に処理結果を表示する際に必要となる情報を格納するテーブルであり、図６のステップＳ６０８の処理がおこなわれる度に新規に作成され、具体的には、書名、書評ＵＲＬ、書評者フラグ、貸出履歴フラグ、図書ＩＤ、状態、予約数および排除フラグが対応付けて格納されている。
【００７７】
この第１レコードは、図６のステップＳ６０８で新規に選択支援テーブル１５２が作成されると、貸出予約図書設定画面（予約画面）６５０の希望図書名６５３が書き込まれる。この希望図書は、図６のステップＳ６０３〜Ｓ６０７の処理によって、現在図書館に蔵書もされておらず、また、購入手配もなされていないため、貸出図書受付部１１１は、状態欄「ＯＮ」に設定する。この排除フラグは、貸出予約図書設定画面（予約画面）６５０の「お勧め図書」の欄６５７に該当レコードを表示するか否かを識別するものであり、「ＯＮ」は表示しないことを示す。第１レコードは、「ご希望図書の状況」６５５に表示されるものであるから、排除フラグは「ＯＮ」となる。
【００７８】
第２レコード以降は、書評サイト３００内で利用者希望図書を紹介する特定ページから抽出された図書に関する情報が格納されており、最終的に排除フラグが「ＯＦＦ」になっているレコードの図書が、お勧め図書欄６５７に表示される。
【００７９】
まず、関連図書抽出部１１２が抽出した図書名および、該図書名が紹介された特定ページのＵＲＬが各レコードに書き込まれる。この際、図７のステップＳ７１１の処理に該当する図書の場合は書評者フラグを「ＯＮ」、そうでない場合（つまり書評本文から抽出された図書の場合）は書評者フラグを「ＯＦＦ」のままに、関連ページ抽出部１１３が設定する。
【００８０】
続いて、関連図書抽出部１１２が、第２レコード以降に格納された図書について、蔵書テーブル１５４を参照して図書館に蔵書されているか否かを判定する。
そして、蔵書されている場合は、選択テーブル１５２の図書ＩＤ、状態、予約数を書き込み、また、蔵書されていない場合は、図書ＩＤに未蔵書であることを示す「ＵＮＯＲＤＥＲ」情報を書き込み（あるいは、空欄のままにする）、排除フラグを「ＯＮ」に設定する。
【００８１】
さらに、関連図書抽出部１１２は、第２レコード以降で排除フラグが「ＯＦＦ」のままの図書、すなわち、蔵書中の図書について、貸出履歴テーブル１５５を参照して、利用者ＩＤ６５１に対応して記録されている図書に含まれるか否かを判定する。そして、含まれる場合（つまり、既に該利用者に貸出済み）は、選択支援テーブル１５２の該当レコードの貸出履歴フラグを「有り」に設定するとともに、排除フラグを「ＯＮ」に設定する。一方、貸出履歴テーブル１５５の利用者ＩＤ６５１に対応して記録された図書に含まれない場合（つまり、該利用者に未貸出）は、該当レコードの貸出履歴フラグに「無し」を設定するとともに、排除フラグは「ＯＦＦ」のまま変更せずにおく。
【００８２】
このような以上の処理を経て、最終的に関連図書抽出部１１２は、選択支援テーブル１５２の第１レコードを貸出予約図書設定画面（予約画面）６５０の「ご希望図書の状況」欄６５５に表示するとともに、選択支援テーブル１５２の第２レコード以降で排除フラグが「ＯＦＦ」のレコードを、「お勧め図書」の欄６５７に表示するのである。
【００８３】
図１５に示した貸出履歴テーブル１５５は、書名の貸出履歴を格納するテーブルであり、具体的には、利用者ＩＤ、図書ＩＤ、書名、貸出日、返却予定日および返却実績日が格納される。ここでは、「中国の歴史１」がＵＳＲ１００に対して貸し出され、「紫式部」がＵＳＲ４００に対して貸し出された状況を示している。なお、この貸出履歴テーブル１５５は、関連図書が同じ利用者に過去に貸し出したか否かを確認する際に利用される。
【００８４】
図１６に示した予約テーブル１５１は、利用者ＵＳＲ１００（関畑宏行）によって図５に示した図書の予約がなされた場合の予約内容を格納した状況を示している。図９に示したものと比較すると、「日本の歴史文化」および「小野小町」の図書が新たに予約された状況を示していることが分かる。なお、「日本の歴史文化」は、未蔵書かつ未手配のため、図書予約管理部１１０が、図書ＩＤに未確定を示す「ＵＮＯＲＤＥＲ」を記憶している。
【００８５】
次に、これらのテーブルを参照しつつ、図１に示した図書館管理装置１００の処理について具体的に説明する。図３に示した貸出予約図書設定画面６５０により希望図書「日本の歴史文化」が入力されると、まずこの希望図書が蔵書テーブル１５４に存在するか否かが確認される。
【００８６】
そこで、図１１の蔵書テーブル１５４を参照すると、この蔵書テーブル１５４には、「日本の歴史文化」が存在せず、図書館に希望図書が蔵書されていないことが分かる。このため、この希望図書が手配テーブル１５６に存在するか否かを確認すると、図１２に示した手配テーブル１５６には、「日本の歴史文化」が存在せず、希望図書が手配中でないことが分かる。
【００８７】
このため、図１４に示した新規作成される選択支援テーブル１５２に「日本の歴史文化」のレコードを設けるとともにその状態を「未手配」として、書評サイト３００の検索をおこなう。具体的には、図１３に示した書評ＵＲＬテーブル１５７を参照して、区切り記号、書評者開始記号を読込み、希望図書名を検索キーワードとして検索することにより、図４に示す書評ページをヒットページとして読み込む。
【００８８】
この書評ページの書評本文には、図書名「紫式部」、「聖徳太子」、「中国の歴史１」が含まれ、書評者紹介欄には「小野小町」が含まれるため、図１４に示したように、選択支援テーブル１５２に「紫式部」、「聖徳太子」、「中国の歴史１」、「小野小町」のレコードが作成されるとともに、各関連図書について書評ＵＲＬが書き込まれ、「小野小町」の書評者フラグが「ＯＮ」とされる。
【００８９】
その後、各関連図書「紫式部」、「聖徳太子」、「中国の歴史１」、「小野小町」が蔵書テーブル１５４に存在するか否かが確認される。図１１の蔵書テーブル１５４を参照すると、この蔵書テーブル１５４には、「紫式部」、「中国の歴史１」および「小野小町」が存在するが、「聖徳太子」については存在しない。また、図１５に示した貸出履歴テーブル１５５を参照すると、「中国の歴史１」は、過去にＵＳＲ１００（関畑宏行）に貸し出していたことが分かる。
【００９０】
このため、蔵書されていない「聖徳太子」と過去に貸し出した「中国の歴史１」は関連図書としてピックアップせず、「紫式部」と「小野小町」を関連図書として利用者に提示する候補とする。また、図１５に示した貸出履歴テーブル１５５によれば、「紫式部」についてはＵＳＲ４００に貸出中であるため、これらの事実を踏まえて図１４に示した選択支援テーブル１５２の「状態」欄および「予約数」欄を更新する。
【００９１】
そして、この選択支援テーブル１５２の内容を踏まえて貸出予約図書設定画面６５０の表示内容を更新すると、図５に示したように、「紫式部」および「小野小町」を関連図書として提示するとともに、「小野小町」が書評者の執筆本であることを明示することになる。ここで、同図に示すように、利用者が「日本の歴史文化」および「小野小町」の予約をおこなうと、予約テーブル１５１の内容は、図１６に示すように更新されることになる。
【００９２】
上述してきたように、本実施の形態１では、貸出図書受付部１１１が受け付けた利用者の希望図書が、図書館に蔵書中でなく、かつ、購入手配中でない場合には、関連ページ抽出部１１３が希望図書の書評ページを抽出し、関連図書抽出部１１２が書評ページから関連図書の情報を抽出するとともに、そのうち蔵書中であり、かつ、当該利用者が過去に貸し出されていないものを最終的な関連図書として利用者に提供するよう構成したので、利用者が希望する希望図書に関連する関連図書の図書情報を幅広く効率的に利用者に対して提供することができる。
【００９３】
なお、選択支援テーブル１５２に書評者名も記憶させ、貸出予約図書設定画面（予約画面）６５０に表示させることも可能である。書評者名の識別は、書評サイト３００のレイアウトから判断できる。
【００９４】
（実施の形態２）
ところで、上記実施の形態１では、書評サイト３００を用いて希望図書に関連する関連図書を検索することとしたが、本発明はこれに限定されるものではなく、書評サイト３００以外の図書サイトを用いて関連図書を検索することもできる。そこで、本実施の形態２では、図書の書誌情報を管理する書籍サイトを用いて関連図書を検索する場合を示すこととする。なお、この場合の図書情報提供システムのシステム構成は、図１に示すものと同様の構成となり、図１に示した書評サイト３００に変えて書籍サイトを設け、書評ＵＲＬテーブル１５７に変えて書籍ＵＲＬテーブルを設ければ良いので、ここではその詳細な説明を省略する。
【００９５】
図１７は、本実施の形態２に係る貸出予約図書設定画面（予約画面）８００の一例を示す図である。同図に示すように、この貸出予約図書設定画面８００は、図３に示したものとほぼ同様の項目からなり、利用者の識別ＩＤを入力する入力枠８０１、氏名を入力する入力枠８０２、希望図書名を入力する入力枠８０３および検索ボタンの入力枠８０４が設けられている。
【００９６】
しかしながら、この貸出予約図書設定画面８００には、図３のような書評ＵＲＬや書評者情報の欄は設けられておらず、関係欄のみが設けられている点で異なる。この関係欄は、希望図書と関連図書が、いかなる関係にあるかを示す欄であり、サブタイトル、一般件名などのいかなる部分で一致するかを記載する箇所である。
【００９７】
図１８は、書籍サイト上の書籍ページの一例を示す図である。同図に示すように、かかる書籍テーブルには、各図書についての書誌の詳細が記述されている。
具体的には、「日本の歴史文化」の書籍ページには、タイトル、サブタイトル、シリーズ、出版社、著者、ＮＤＣ、一般件名などが記述されている。すなわち、本実施の形態２に係る書籍ページは、図４に示した書評ページと異なり、書誌の詳細が、項目ごと整理された形式で記述されているのである。
【００９８】
図１９は、書籍サイトを利用した関連図書を検索した場合の貸出予約図書設定画面（予約画面）８００の一例を示す図である。同図に示すように、ここでは「小野小町」、「枕草子の思想」という２冊の関連図書を抽出するとともに、「小野小町」については希望図書と「サブタイトル」の関係にあり、「枕草子の思想」については希望図書と「一般件名」の関係にある旨を示している。
【００９９】
すなわち、図１８に示した書籍ページを参照すると、希望図書である「日本の歴史文化」のサブタイトルに「小野小町」があり、一般件名に「枕草子の思想」、「清少納言」が記述されている。ここで、図１０に示した書誌テーブル１５３によれば、「小野小町」および「枕草子の思想」については存在するが、「清少納言」については存在せず、図１５に示した貸出履歴テーブル１５５によれば、利用者に対して「小野小町」および「枕草子の思想」を過去に貸し出した履歴はない。このため、かかる「小野小町」および「枕草子の思想」を関連図書として貸出予約図書設定画面８００に含めている。
【０１００】
次に、本実施の形態２に係る図書館管理装置の処理手順について説明する。図２０は、本実施の形態２に係る図書館管理装置の処理手順を示すフローチャートである。なお、ここでは説明の便宜上、利用者が端末装置６００を操作する場合を示すこととする。
【０１０１】
同図に示すように、この図書館管理装置は、利用者の端末装置６００に対して貸出図書予約画面を送信し（ステップＳ２００１）、利用者名および希望図書名などの入力を促す。そして、利用者の入力に応答して利用者名および希望図書名などが含まれた予約希望図書情報を受信すると（ステップＳ２００２）、蔵書テーブル１５４の検索をおこなう（ステップＳ２００３）。
【０１０２】
そして、希望図書が図書館に蔵書されている場合には（ステップＳ２００４肯定）、通常の予約処理をおこなう（ステップＳ２００５）。これに対して、希望図書が図書館に蔵書されていない場合には（ステップＳ２００４否定）、手配テーブル１５６を検索して希望図書が購入手配中であるか否かを確認し（ステップＳ２００６）、希望図書が手配中である場合には（ステップＳ２００７肯定）、蔵書中と同様に通常の予約処理をおこなう（ステップＳ２００５）。
【０１０３】
そして、希望図書が手配中でない場合には（ステップＳ２００７否定）、選択支援テーブル１５２に希望図書を記録するとともに（ステップＳ２００８）、希望図書の関連図書を書籍サイトから検索する（ステップＳ２００９）。
【０１０４】
その結果、書籍サイトから一つも関連図書がヒットしない場合には（ステップＳ２０１０否定）、関連図書無しを示す結果画面を端末装置６００に送信し（ステップＳ２０１８）、一または複数の関連図書がヒットした場合には（ステップＳ２０１０肯定）、検索項目すなわちヒットした書籍ページの書誌詳細項目で、書籍ＵＲＬテーブル９００の「検査項目」に該当する項目にデータがあるか否かを調べ（ステップＳ２０１１）、データがない場合には（ステップＳ２０１１否定）、関連図書無しを示す結果画面を端末装置６００に送信する（ステップＳ２０１８）。
【０１０５】
一方、検索項目にデータがある場合には（ステップＳ２０１１肯定）、書誌テーブル１５３を検索し（ステップＳ２０１２）、合致する図書があるか否かを調べる（ステップＳ２０１３）。そして、合致する図書がなければ（ステップＳ２０１３否定）、関連図書無しを示す結果画面を端末装置６００に送信し（ステップＳ２０１８）、合致する図書があれば（ステップＳ２０１３肯定）、貸出履歴テーブル１５５の検索をおこなう（ステップＳ２０１４）。
【０１０６】
そして、同じ利用者に貸出履歴のない本が存在せず、関連図書の中に利用者が過去に借りた図書しかない場合には（ステップＳ２０１５否定）、関連図書がなかった場合と同様に関連図書無しを示す結果画面を端末装置６００に送信する（ステップＳ２０１８）。これに対して、利用者に対する貸出履歴がない図書が関連図書に含まれている場合には（ステップＳ２０１５肯定）、関連図書が有る旨を示す結果画面を端末装置６００に送信し（ステップＳ２０１６）、そのうち利用者が選択した図書を受信して通常の予約処理をおこなう（ステップＳ２０１７）。
【０１０７】
上記一連の処理をおこなうことにより、利用者の希望図書が蔵書されておらず、かつ、購入手配中でない場合に、この希望図書に関連する関連図書を書籍サイトから検索し、検索された関連図書のうち書誌テーブル１５３に登録されており、かつ、同じ利用者に過去に貸し出していないものを利用者に提示することができる。
【０１０８】
次に、本実施の形態２で用いる書籍ＵＲＬテーブル９００について説明する。
図２１は、本実施の形態２で用いる書籍ＵＲＬテーブル９００の一例を示す図である。同図に示すように、この書籍ＵＲＬテーブル９００には、図１３に示した書評ＵＲＬテーブル１５７と同様にサイトのＵＲＬを格納している。ただし、書評ＵＲＬテーブル１５７と異なり、ここでは検索項目１、検索項目２、検索項目３および検索条件式を各書籍サイトごとに格納している。
【０１０９】
次に、本実施の形態２で用いる選択支援テーブル９１０について説明する。図２２は、本実施の形態２で用いる選択支援テーブル９１０の一例を示す図である。
【０１１０】
同図に示す選択支援テーブル９１０は、図１４に示した選択支援テーブル１５２と同様に、貸出予約図書設定画面（予約画面）８００に表示する際に必要となる情報を格納するテーブルであり、具体的には、書名、検索項目、貸出履歴フラグ、図書ＩＤ、状態、予約数および排除フラグが対応付けて格納されている。この第１レコードは、貸出予約図書設定画面８００の「ご希望図書の状況」を示す欄に表示され、第２レコード以降に関しては、排除フラグが「ＯＦＦ」のレコードが、貸出予約図書設定画面８００の「お勧め図書」を示す欄に表示されることになる。なお、排除フラグの設定方法は、実施の形態１のものと同様である。
【０１１１】
上述してきたように、本実施の形態２は、図書の書誌情報を管理する書籍サイトを用いて関連図書を検索するよう構成したので、書評サイトのみならず、幅広い図書関係サイトを利用して、効率良く希望図書に関連する関連図書を取得することができる。
【０１１２】
なお、本実施の形態１および２では、書評サイトおよび書籍サイトを用いてそれぞれ関連図書を検索する場合を示したが、本発明はこれに限定されるものではなく、図書に関連する様々なサイトを用いて関連図書を検索することができる。
【０１１３】
（付記１）利用者の希望図書に関連する関連図書に係る情報を提供する図書情報提供方法であって、
前記利用者が貸し出しを希望する希望図書を受け付ける希望図書受付工程と、前記希望図書受付工程により受け付けた希望図書を扱ったインターネット上の希望図書ページを特定するページ特定工程と、
前記ページ特定工程により特定されたページから、前記希望図書に関連する関連図書に係る情報を抽出する関連図書抽出工程とを含んだことを特徴とする図書情報提供方法。
【０１１４】
（付記２）前記関連図書抽出工程は、抽出した関連図書の蔵書状況あるいは前記利用者に対する貸出状況に基づいて該関連図書の絞り込みをおこなうことを特徴とする付記１に記載の図書情報提供方法。
【０１１５】
（付記３）前記ページ特定工程は、前記希望図書の蔵書状況を検索し、蔵書も蔵書予定もない場合に、前記希望図書ページをインターネット上で検索することを特徴とする付記１または２に記載の図書情報提供方法。
【０１１６】
（付記４）前記希望図書ページは該希望図書に関する書評をおこなった書評ページであり、前記関連図書抽出工程は、前記書評ページ内に紹介された他の図書と、書評者紹介欄に紹介された書評者により執筆された図書とを識別可能に関連図書として抽出することを特徴とする付記１、２または３に記載の図書情報提供方法。
【０１１７】
（付記５）前記希望図書ページは該希望図書に関する書誌情報を有する書籍ページであり、前記関連図書抽出工程は、前記書籍ページに格納された図書と前記希望図書との関係を抽出することを特徴とする付記１、２または３に記載の図書情報提供方法。
【０１１８】
（付記６）利用者の希望図書に関連する関連図書に係る情報を提供する図書情報提供装置であって、
前記利用者が貸し出しを希望する希望図書を受け付ける希望図書受付手段と、前記希望図書受付手段により受け付けた希望図書を扱ったインターネット上の希望図書ページを特定するページ特定手段と、
前記ページ特定手段により特定されたページから、前記希望図書に関連する関連図書に係る情報を抽出する関連図書抽出手段とを備えたことを特徴とする図書情報提供装置。
【０１１９】
（付記７）利用者の希望図書に関連する関連図書に係る情報を提供する図書情報提供装置に用いる図書情報提供プログラムであって、
前記利用者が貸し出しを希望する希望図書を受け付ける希望図書受付手順と、前記希望図書受付手順により受け付けた希望図書を扱ったインターネット上の希望図書ページを特定するページ特定手順と、
前記ページ特定手順により特定されたページから、前記希望図書に関連する関連図書に係る情報を抽出する関連図書抽出手順とをコンピュータに実行させることを特徴とする図書情報提供プログラム。
【０１２０】
【発明の効果】
以上説明したように、本発明によれば、利用者が貸し出しを希望する希望図書を受け付けたならば、受け付けた希望図書を扱ったインターネット上の希望図書ページを特定し、特定したジから希望図書に関連する関連図書に係る情報を抽出するよう構成したので、利用者が希望する希望図書に関連する関連図書の図書情報を幅広く効率的に利用者に対して提供することができる。
【０１２１】
また、本発明によれば、抽出した関連図書の蔵書状況あるいは利用者に対する貸出状況に基づいて該関連図書の絞り込みをおこなうよう構成したので、利用者が入手可能であり、かつ、過去に閲覧していない価値の高い図書を関連図書として入手することができる。
【０１２２】
また、本発明によれば、希望図書の蔵書状況を検索し、蔵書も蔵書予定もない場合に、希望図書ページをインターネット上で検索するよう構成したので、図書館内に希望図書がある場合に無駄な検索をなくして効率的な処理をおこなうことができる。
【０１２３】
また、本発明によれば、希望図書ページは該希望図書に関する書評をおこなった書評ページであり、書評ページ内に紹介された他の図書と、書評者紹介欄に紹介された書評者により執筆された図書とを識別可能に関連図書として抽出するよう構成したので、書評者自身がその内容を熟知する自らの図書と希望図書との結びつきを重視しつつ効率良く関連図書を抽出することができる。
【０１２４】
また、本発明によれば、利用者が貸し出しを希望する希望図書を受け付けたならば、受け付けた希望図書を扱ったインターネット上の希望図書ページを特定し、特定したジから希望図書に関連する関連図書に係る情報を抽出するよう構成したので、利用者が希望する希望図書に関連する関連図書の図書情報を幅広く効率的に利用者に対して提供することができる。
【図面の簡単な説明】
【図１】本実施の形態１に係る図書情報提供システムのシステム構成を示す機能ブロック図である。
【図２】図１に示した図書館管理装置の処理手順を示すフローチャートである。
【図３】図２のステップＳ２０１に示した希望図書を受け付ける場合に用いる受付画面の一例を示す図である。
【図４】図１に示した書評サイトに存在する書評ページの一例を示す図である。
【図５】検索結果を含めた貸出予約図書設定画面の表示内容の一例を示す図である。
【図６】図書館管理装置の処理手順を示すフローチャートである。
【図７】図６のステップＳ６０９に示した書評サイトから関連図書を検索する検索手順を示すフローチャートである。
【図８】図７のステップＳ７０６およびＳ７１０に示した関連図書抽出処理の処理手順を示すフローチャートである。
【図９】ＵＳＲ１００による予約以前の予約テーブルの一例を示す図である。
【図１０】書誌テーブルの一例を示す図である。
【図１１】蔵書テーブルの一例を示す図である。
【図１２】手配テーブルの一例を示す図である。
【図１３】書評ＵＲＬテーブルの一例を示す図である。
【図１４】選択支援テーブルの一例を示す図である。
【図１５】貸出履歴テーブルの一例を示す図である。
【図１６】ＵＳＲ１００による予約後の予約テーブルの一例を示す図である。
【図１７】本実施の形態２に係る貸出予約図書設定画面（予約画面）の一例を示す図である。
【図１８】書籍サイト上の書籍ページの一例を示す図である。
【図１９】書籍サイトを利用した関連図書を検索した場合の貸出予約図書設定画面（予約画面）の一例を示す図である。
【図２０】本実施の形態２に係る図書館管理装置の処理手順を示すフローチャートである。
【図２１】本実施の形態２で用いる書籍ＵＲＬテーブルの一例を示す図である。
【図２２】本実施の形態２で用いる選択支援テーブルの一例を示す図である。
【符号の説明】
１００  図書館情報管理装置
１１０  貸出予約管理部
１１１  貸出図書受付部
１１２  関連図書抽出部
１１３  関連ページ抽出部
１２０  貸出返却管理部
１２１  蔵書検索部
１３０  手配管理部
１５１  予約テーブル
１５２  選択支援テーブル
１５３  書誌テーブル
１５４  蔵書テーブル
１５５  貸出履歴テーブル
１５６  手配テーブル
１５７  書評ＵＲＬテーブル
２００  インターネット
３００  書評サイト
４００  端末装置（司書用）
６００  端末装置（図書館内利用者用）
７００  端末装置（利用者宅用）
【図１】
2004334482.tif 000003
【図２】
2004334482.tif 000004
【図３】
2004334482.tif 000005
【図４】
2004334482.tif 000006
【図５】
2004334482.tif 000007
【図６】
2004334482.tif 000008
【図７】
2004334482.tif 000009
【図８】
2004334482.tif 000010
【図９】
2004334482.tif 000011
【図１０】
2004334482.tif 000012
【図１１】
2004334482.tif 000013
【図１２】
2004334482.tif 000014
【図１３】
2004334482.tif 000015
【図１４】
2004334482.tif 000016
【図１５】
2004334482.tif 000017
【図１６】
2004334482.tif 000018
【図１７】
2004334482.tif 000019
【図１８】
2004334482.tif 000020
【図１９】
2004334482.tif 000021
【図２０】
2004334482.tif 000022
【図２１】
2004334482.tif 000023
【図２２】
2004334482.tif 000024